【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
加工対象であるレンズに工具を当接させて、前記レンズを研削又は研磨するレンズ加工方法であって、
前記工具、前記レンズ、又は前記レンズを貼付する貼付皿を弾性体に当接させる当接工程と、
前記工具又は前記レンズの少なくともいずれか一方を前記工具と前記レンズとの当接面に向かって加圧する加圧軸の位置と、前記工具、前記レンズ、又は前記貼付皿の少なくともいずれか１つの位置とを加工中に計測する計測工程と、
前記計測工程における計測結果に基づいて、加工中の前記レンズの中心厚を算出する算出工程と、
前記算出工程において算出した中心厚と目標とする中心厚とが一致したら加工を終了する制御工程と、
を含むことを特徴とするレンズ加工方法。
【請求項２】
前記制御工程は、前記算出工程において算出した中心厚と、記憶部に記憶させた複数の目標とする中心厚のうちのいずれか１つとが一致したら、前記工具と前記レンズとを当接させる圧力、前記工具又は前記レンズの回転数、前記工具又は前記レンズが当接する相対的な角度、又は前記工具又は前記レンズの揺動幅のいずれか１つ以上を変化させることを特徴とする請求項１に記載のレンズ加工方法。
【請求項３】
加工対象であるレンズに工具を当接させて、前記レンズを研削又は研磨するレンズ加工装置であって、
前記工具、前記レンズ、又は前記レンズを貼付する貼付皿に当接する弾性体と、
前記工具又は前記レンズの少なくともいずれか一方を前記工具と前記レンズとの当接面に向かって加圧する加圧軸の位置と、前記工具、前記レンズ、又は前記貼付皿の少なくともいずれか１つの位置とを加工中に計測する計測部と、
前記計測部の計測結果に基づいて、加工中の前記レンズの中心厚を算出する演算部と、
前記演算部が算出した中心厚と目標とする中心厚とが一致したら加工を終了する制御部と、
を備えることを特徴とするレンズ加工装置。
【請求項４】
目標とする中心厚を複数記憶する記憶部を備え、
前記制御部は、前記演算部が算出した中心厚と、記憶部に記憶させた複数の目標とする中心厚のうちのいずれか１つとが一致したら、前記工具と前記レンズとを当接させる圧力、前記工具又は前記レンズの回転数、前記工具又は前記レンズが当接する相対的な角度、又は前記工具又は前記レンズの揺動幅のいずれか１つ以上を変化させることを特徴とする請求項３に記載のレンズ加工装置。
【請求項５】
前記計測工程は、前記加圧軸の位置と、前記工具、前記レンズ、又は前記貼付皿の少なくともいずれか１つの位置とを加工中に定常的に計測し、
前記算出工程は、前記計測結果に基づいて、加工中の前記レンズの中心厚を逐次算出することを特徴とする請求項１又は２に記載のレンズ加工方法。
【請求項６】
前記算出工程において算出した中心厚と目標とする中心厚とが一致しないと判定した場合、前記計測工程及び前記算出工程を繰り返し実行することを特徴とする請求項１に記載のレンズ加工方法。
【請求項７】
前記計測部は、前記加圧軸の位置と、前記工具、前記レンズ、又は前記貼付皿の少なくともいずれか１つの位置とを加工中に定常的に計測し、
前記演算部は、前記計測部の前記計測結果に基づいて、加工中の前記レンズの中心厚を逐次算出することを特徴とする請求項３又は４に記載のレンズ加工装置。
【手続補正２】
【補正対象書類名】明細書
【補正対象項目名】０００７
【補正方法】変更
【補正の内容】
【０００７】
上述した課題を解決し、目的を達成するために、本発明の一態様に係るレンズ加工方法は、加工対象であるレンズに工具を当接させて、前記レンズを研削又は研磨するレンズ加工方法であって、前記工具、前記レンズ、又は前記レンズを貼付する貼付皿を弾性体に当接させる当接工程と、前記工具又は前記レンズの少なくともいずれか一方を前記工具と前記レンズとの当接面に向かって加圧する加圧軸の位置と、前記工具、前記レンズ、又は前記貼付皿の少なくともいずれか１つの位置とを加工中に計測する計測工程と、前記計測工程における計測結果に基づいて、加工中の前記レンズの中心厚を算出する算出工程と、前記算出工程において算出した中心厚と目標とする中心厚とが一致したら加工を終了する制御工程と、を含むことを特徴とする。
【手続補正３】
【補正対象書類名】明細書
【補正対象項目名】０００９
【補正方法】変更
【補正の内容】
【０００９】
また、本発明の一態様に係るレンズ加工装置は、加工対象であるレンズに工具を当接させて、前記レンズを研削又は研磨するレンズ加工装置であって、前記工具、前記レンズ、又は前記レンズを貼付する貼付皿に当接する弾性体と、前記工具又は前記レンズの少なくともいずれか一方を前記工具と前記レンズとの当接面に向かって加圧する加圧軸の位置と、前記工具、前記レンズ、又は前記貼付皿の少なくともいずれか１つの位置とを加工中に計測する計測部と、前記計測部の計測結果に基づいて、加工中の前記レンズの中心厚を算出する演算部と、前記演算部が算出した中心厚と目標とする中心厚とが一致したら加工を終了する制御部と、を備えることを特徴とする。
【手続補正４】
【補正対象書類名】明細書
【補正対象項目名】００２８
【補正方法】変更
【補正の内容】
【００２８】
計測部１５ｂは、第１検出器１３が検出した加圧軸１０の位置と、第２検出器１４が検出したレンズ５の位置とを加工中に定常的に計測する。計測部１５ｂは、ＣＰＵ（Ｃｅｎｔｒａｌ  Ｐｒｏｃｅｓｓｉｎｇ  Ｕｎｉｔ）等の汎用プロセッサによって実現される。
【手続補正５】
【補正対象書類名】明細書
【補正対象項目名】００２９
【補正方法】変更
【補正の内容】
【００２９】
演算部１５ｃは、計測部１５ｂの計測結果に基づいて、加工中のレンズ５の中心厚を逐次算出する。演算部１５ｃは、ＣＰＵ等の汎用プロセッサによって実現される。
【手続補正６】
【補正対象書類名】明細書
【補正対象項目名】００４０
【補正方法】変更
【補正の内容】
【００４０】
レンズ５の研削が開始されると、計測部１５ｂは、第１検出器１３を用いて加圧軸１０の位置と、第２検出器１４を用いてレンズ５の位置とを研削中に定常的に計測する（ステップＳ８：計測工程）。
【手続補正７】
【補正対象書類名】明細書
【補正対象項目名】００４１
【補正方法】変更
【補正の内容】
【００４１】
さらに、演算部１５ｃは、計測工程における計測結果に基づいて、研削中のレンズ５の中心厚Ｔｈを逐次算出する（ステップＳ９：算出工程）。
【手続補正８】
【補正対象書類名】明細書
【補正対象項目名】００６３
【補正方法】変更
【補正の内容】
【００６３】
計測部２１７ｂは、第１検出器２１５が検出した加圧軸２１１の位置と、第２検出器２１６が検出した貼付皿２０６の位置とを加工中に定常的に計測する。計測部２１７ｂは、ＣＰＵ等の汎用プロセッサによって実現される。
【手続補正９】
【補正対象書類名】明細書
【補正対象項目名】００６４
【補正方法】変更
【補正の内容】
【００６４】
演算部２１７ｃは、計測部２１７ｂの計測結果に基づいて、加工中のレンズ２０５の中心厚を逐次算出する。演算部２１７ｃは、ＣＰＵ等の汎用プロセッサによって実現される。
【手続補正１０】
【補正対象書類名】明細書
【補正対象項目名】００７５
【補正方法】変更
【補正の内容】
【００７５】
レンズ２０５の研削が開始されると、計測部２１７ｂは、第１検出器２１５を用いて加圧軸２１１の位置と、第２検出器２１６を用いて貼付皿２０６の位置とを研削中に定常的に計測する（ステップＳ２８：計測工程）。
【手続補正１１】
【補正対象書類名】明細書
【補正対象項目名】００７６
【補正方法】変更
【補正の内容】
【００７６】
さらに、演算部２１７ｃは、計測工程における計測結果に基づいて、研削中のレンズ２０５の中心厚Ｔｈを逐次算出する（ステップＳ２９：算出工程）。
【手続補正１２】
【補正対象書類名】明細書
【補正対象項目名】００８１
【補正方法】変更
【補正の内容】
【００８１】
レンズ２０５の研削が開始されると、計測部２１７ｂは、第１検出器２１５を用いて加圧軸２１１の位置と、第２検出器２１６を用いて貼付皿２０６の位置とを研削中に定常的に計測する（ステップＳ３２：計測工程）。
【手続補正１３】
【補正対象書類名】明細書
【補正対象項目名】００８２
【補正方法】変更
【補正の内容】
【００８２】
さらに、演算部２１７ｃは、計測工程における計測結果に基づいて、研削中のレンズ２０５の中心厚Ｔｈを逐次算出する（ステップＳ３３：算出工程）。
【手続補正１４】
【補正対象書類名】明細書
【補正対象項目名】００８７
【補正方法】変更
【補正の内容】
【００８７】
レンズ２０５の研削が開始されると、計測部２１７ｂは、第１検出器２１５を用いて加圧軸２１１の位置と、第２検出器２１６を用いて貼付皿２０６の位置とを研削中に定常的に計測する（ステップＳ３６：計測工程）。
【手続補正１５】
【補正対象書類名】明細書
【補正対象項目名】００８８
【補正方法】変更
【補正の内容】
【００８８】
さらに、演算部２１７ｃは、計測工程における計測結果に基づいて、研削中のレンズ２０５の中心厚Ｔｈを逐次算出する（ステップＳ３７：算出工程）。